(57)【要約】【課題】  着脱可能な部品からなり、容易に部品交換又は材料を再利用することができる組み立て式傘フレームを提供する。【解決手段】  ハンドル部材と、前記ハンドル部材の上端に設けられ、ハジキを有する中棒と、外周縁に複数の親骨スリットが形成される上ロクロと、該上ロクロと結合される上ストッパーとを有し、前記中棒の上端に着脱可能に取り付けられる上ロクロ部材と、外周縁に複数の骨スロットが形成される下ロクロと、該下ロクロと結合される下スリーブとを有し、前記中棒に摺動可能に取り付けられる下ロクロ部材と、前記上ロクロ部材に着脱可能に枢設される複数の親骨と、該親骨を枢支し、前記下ロクロ部材に着脱可能に枢設される複数の受け骨を有する骨組みと、からなることを特徴とする。【選択図】  図３
0003136071.tif 000002
【実用新案登録請求の範囲】
【請求項１】
ハンドル部材と、
前記ハンドル部材の上端に設けられ、ハジキを有する中棒と、
外周縁に複数の親骨スリットが形成される上ロクロと、該上ロクロと結合される上ストッパーとを有し、前記中棒の上端に着脱可能に取り付けられる上ロクロ部材と、
外周縁に複数の骨スロットが形成される下ロクロと、該下ロクロと結合される下スリーブとを有し、前記中棒に摺動可能に取り付けられる下ロクロ部材と、
前記上ロクロ部材に着脱可能に枢設される複数の親骨と、該親骨を枢支し、前記下ロクロ部材に着脱可能に枢設される複数の受け骨を有する骨組みと、からなることを特徴とする傘フレーム。
【請求項２】
前記上ロクロの各親骨スリットはそれぞれ、上ロクロの外周壁から中央へ向かって形成され、その内部には、挿入溝と、下方へ貫通しない下端と上方へ貫通する上端とを有する枢設溝とが形成され、
前記親骨の一端には、上ロクロ部材に枢設するための枢設部材が設けられ、該枢設部材の厚みは、該親骨スリットの挿入溝と対応し、該２つの側面には夫々親骨スリットの枢設溝と対応する枢設柱が設けられ枢ることを特徴とする請求項１に記載の傘フレーム。
【請求項３】
前記各親骨は夫々伸縮可能な異なる径を有する複数のパイプからなり、その一端には位置さ最も大径のパイプを有し、その先端に前記枢設部材が設けられると共に、他端には最も小径のパイプが設けられ、その先端にはチップが設けられることを特徴とする請求項２に記載の傘フレーム。
【請求項４】
前記親骨にスリーブ状の枢設座が設けられ、前記受け骨は、該親骨を枢支するために、その一端が該枢設座に枢設されると共に、他端が前記下ロクロ部材に枢設され、
該枢設部材の一端に前記最も大径のパイプの先端に取り付けられるキャップが設けられ、該キャップに該パイプの内部に嵌合されるブロックが設けられ、
更に、該キャップと前記枢設座との間に、キャップと枢設座とを連結するための連結ロッドが親骨の内部と対応するように設けられることを特徴とする請求項３に記載の傘フレーム。
【請求項５】
前記上ロクロはリング状を呈し、中央孔と、該中央孔の周縁から上方へ延出する結合リングと、該結合リングの外周壁における相対する位置に夫々設けられ、前記上ストッパーを結合させるための２つの止めブロックとを備え、
前記上ストッパーはリング状を呈し、中央に固定孔が形成され、その内周壁には、２つの固定溝が互いに対向するように形成され、該各固定溝は、下端が固定孔の下開口と連通し、軸方向に沿って設けられる縦溝と、固定孔の下開口から所定の距離をおいて設けられ、前記縦溝と連通する環状溝とからなることを特徴とする請求項２乃至４の何れか１項に記載の傘フレーム。
【請求項６】
前記中棒の上端周縁に１つの位置決め凹部が設けられると共に、前記中棒の内周壁の上端近傍に内ねじ山が設けられ、
前記上ロクロの底面に、中央孔の周縁から下方へ突出する位置決め部材が設けられ、
前記上ロクロの結合管の内径は、該中央孔より大きく形成され、該結合管の内部に、中央孔より大径であり、フランジより大径である構造体を収容できるホールが形成され、
更に、前記上ロクロの中央孔を貫設するボルトを有し、該ボルトの外周壁には、前記中棒の上端の内ねじ山と螺合する下ねじ山と、上ロクロ部材の上面から上方へ突出する上ねじ山と、該上ねじ山と下ねじ山の間に設けられ、前記上ストッパーにおける結合管のホールと対応するフランジとを備え、
前記ボルトの上ねじ山には、底面が前記上ストッパーの上面と対応し、該上ねじ山に螺合されるナットが設けられることを特徴とする請求項５に記載の傘フレーム。
【請求項７】
前記骨スリットは、下ロクロの外周壁から中央へ向かって凹設される挿入溝と、該挿入溝の２つの壁面に下ロクロの軸方向に沿ってそれぞれ設けられる枢設溝とからなり、該枢設溝は封止状の上端と、貫通状の下端とを有し、
前記受け骨における、下ロクロ部材と枢設される一端に、前記下ロクロにおける骨スリットの挿入溝に嵌め込まれる枢設部材が設けられ、該枢設部材の両側に夫々骨スリットの枢設溝に枢設される枢設柱が設けられる枢ことを特徴とする請求項１乃至４の何れか１項に記載の傘フレーム。
【請求項８】
前記骨スリットは、下ロクロの外周壁から中央軸へ向かって凹設される挿入溝と、該挿入溝の２つの壁面に下ロクロの軸方向に沿ってそれぞれ設けられる枢設溝とからなり、該枢設溝は封止状の上端と、貫通状の下端とを有し、
前記受け骨における、下ロクロ部材と枢設される一端に、前記下ロクロにおける骨スリットの挿入溝に嵌め込まれる枢設部材が設けられ、該枢設部材の両側に夫々骨スリットの枢設溝に枢設される枢設柱が設けられる枢ことを特徴とする請求項６に記載の傘フレーム。
【請求項９】
前記下ロクロの内周壁には２つの固定溝が相対するように形成され、該各固定溝は、下端が中央孔の下開口と連通し、軸方向に沿って設けられる縦溝と、中央孔の下開口から所定の距離をおいて設けられ、前記縦溝と連通する環状溝とからなり、
前記下スリーブは、中棒に摺動可能に取り付けられ、中央管と、該中央管を貫通する貫通孔と、該中央管より大径のリング状を呈し、該中央管の下端に同軸に設けられ、前記下ロクロの底面と接触して枢設溝の下端を封止するためのストッパーと、該中央管の外周壁の相対する位置にそれぞれ設けられ、前記下ロクロの固定溝と対応する掛止凸部とを備えることを特徴とする請求項８に記載の傘フレーム。
【請求項１０】
前記ハンドル部材は、取っ手部と、該取っ手部の内部に設けられると共に、上方へ伸長可能な伸縮棒とを有し、該伸縮棒は夫々異なるパイプ径を有する複数のパイプを備え、最も小径であるパイプが該伸縮棒の最上端に位置されると共に、その上端に前記中棒と連結するための連結ねじが設けられることを特徴とすることを特徴とする請求項１乃至４の何れか１項に記載の傘フレーム。
【請求項１１】
前記ハンドル部材は、取っ手部と、該取っ手部の内部に設けられると共に、上方へ伸長可能な伸縮棒とを有し、該伸縮棒は夫々異なるパイプ径を有する複数のパイプとを備え、最も小径であるパイプが該伸縮棒の最上端に位置されると共に、その上端に前記中棒と連結するための連結ねじが設けられることを特徴とすることを特徴とする請求項９に記載の傘フレーム。
【請求項１２】
前記取っ手部は管状を呈し、その内部上下端には上開口及び下開口を有する貫通状の貫通孔が形成され、該貫通孔の内周壁における該下開口の近傍に内ねじ山が設けられ、
又、該貫通孔の内周壁における、下開口から上開口の近傍にかけて位置決め溝が設けられると共に、該貫通孔の内周壁における該上開口の近傍に、該取っ手部を貫通する位置決め孔が設けられ、
前記伸縮棒の外周壁における下端近傍に、前記位置決め溝と対応する掛止凸部と、前記位置決め孔と対応する位置決め孔と、頭部が該位置決め孔を介して前記位置決め孔に嵌挿することができる掛止部材が設けられ、
該掛止部材は、スプリングを介して固定ブロックの孔に嵌設され、該固定ブロックは、前記伸縮棒の内部に、該掛止部材の頭部が該スプリングの弾性力により、前記位置決め孔から外部に露出するように設けられ、
更に、前記取っ手部の下端に、貫通孔の下開口を封止すると共に、伸縮棒の下開口からの脱落を防ぐための蓋部材が設けられ、該蓋部材の外周壁に外ねじ山が設けられ、該貫通孔の内周壁における下開口近傍に該外ねじ山と対応する内ねじ山が設けられ、これにより、該蓋部材を貫通孔の下開口に螺合することを特徴とすることを特徴とする請求項９に記載の傘フレーム。
【考案の詳細な説明】
【技術分野】
【０００１】
本考案は、特に組み立て式傘フレームに関するものである。
【背景技術】
【０００２】
従来の傘フレームは、金属の中棒と、該中棒の上端に設けられる上ロクロ部材と、中棒に沿って摺動可能な下ロクロ部材と、前記上ロクロ部材と下ロクロ部材に組み合わされる骨組みとからなり、該骨組みは、上ロクロ部材に枢設される複数の親骨と、一端が下ロクロ部材に枢設され、他端が親骨を枢支する複数の受け骨とを備え、前記親骨にカバーを張設し縫着することで傘を製造する。
【考案の開示】
【考案が解決しようとする課題】
【０００３】
しかしながら、従来の傘フレームは、各部品を分解し難い構造であることから、故障した部品の交換が面倒であるので、従来では、部品が故障した場合、そのまま廃棄されていた。
【０００４】
更に、前記中棒は主に金属管からなり、上ロクロ部材と下ロクロ部材はプラスチックからなり、親骨と受け骨は金属製であることから、金属製部品とプラスチック製部品とが混在ミックスしているので、廃棄された傘をリサイクルすることもし難い。 
そこで案出されたのが本考案であって、着脱可能な部品からなり、容易に部品交換ができ、リサイクルもし易い組み立て式傘フレームを提供することを目的としている。
【課題を解決するための手段】
【０００５】
本願の請求項１の考案は、ハンドル部材と、
前記ハンドル部材の上端に設けられ、ハジキを有する中棒と、
外周縁に複数の親骨スリットが形成される上ロクロと、該上ロクロと結合される上ストッパーとを有し、前記中棒の上端に着脱可能に取り付けられる上ロクロ部材と、
外周縁に複数の骨スロットが形成される下ロクロと、該下ロクロと結合される下スリーブとを有し、前記中棒に摺動可能に取り付けられる下ロクロ部材と、
前記上ロクロ部材に着脱可能に枢設される複数の親骨と、該親骨を枢支し、前記下ロクロ部材に着脱可能に枢設される複数の受け骨を有する骨組みと、からなることを特徴とする傘フレーム、を提供する。
【０００６】
本願の請求項２の考案は、前記上ロクロの各親骨スリットはそれぞれ、上ロクロの外周壁から中央へ向かって形成され、その内部には、挿入溝と、下方へ貫通しない下端と上方へ貫通する上端とを有する枢設溝とが形成され、
前記親骨の一端には、上ロクロ部材に枢設するための枢設部材が設けられ、該枢設部材の厚みは、該親骨スリットの挿入溝と対応し、該２つの側面には夫々親骨スリットの枢設溝と対応する枢設柱が設けられ枢ることを特徴とする請求項１に記載の傘フレーム、を提供する。
【０００７】
本願の請求項３の考案は、前記各親骨は夫々伸縮可能な異なる径を有する複数のパイプからなり、その一端には位置さ最も大径のパイプを有し、その先端に前記枢設部材が設けられると共に、他端には最も小径のパイプが設けられ、その先端にはチップが設けられることを特徴とする請求項２に記載の傘フレーム、を提供する。
【０００８】
本願の請求項４の考案は、前記親骨にスリーブ状の枢設座が設けられ、前記受け骨は、該親骨を枢支するために、その一端が該枢設座に枢設されると共に、他端が前記下ロクロ部材に枢設され、
該枢設部材の一端に前記最も大径のパイプの先端に取り付けられるキャップが設けられ、該キャップに該パイプの内部に嵌合されるブロックが設けられ、
更に、該キャップと前記枢設座との間に、キャップと枢設座とを連結するための連結ロッドが親骨の内部と対応するように設けられることを特徴とする請求項３に記載の傘フレーム、を提供する。
【０００９】
本願の請求項５の考案は、前記上ロクロはリング状を呈し、中央孔と、該中央孔の周縁から上方へ延出する結合リングと、該結合リングの外周壁における相対する位置に夫々設けられ、前記上ストッパーを結合させるための２つの止めブロックとを備え、
前記上ストッパーはリング状を呈し、中央に固定孔が形成され、その内周壁には、２つの固定溝が互いに対向するように形成され、該各固定溝は、下端が固定孔の下開口と連通し、軸方向に沿って設けられる縦溝と、固定孔の下開口から所定の距離をおいて設けられ、前記縦溝と連通する環状溝とからなることを特徴とする請求項２乃至４の何れか１項に記載の傘フレーム、を提供する。
【００１０】
本願の請求項６の考案は、前記中棒の上端周縁に１つの位置決め凹部が設けられると共に、前記中棒の内周壁の上端近傍に内ねじ山が設けられ、
前記上ロクロの底面に、中央孔の周縁から下方へ突出する位置決め部材が設けられ、
前記上ロクロの結合管の内径は、該中央孔より大きく形成され、該結合管の内部に、中央孔より大径であり、フランジより大径である構造体を収容できるホールが形成され、
更に、前記上ロクロの中央孔を貫設するボルトを有し、該ボルトの外周壁には、前記中棒の上端の内ねじ山と螺合する下ねじ山と、上ロクロ部材の上面から上方へ突出する上ねじ山と、該上ねじ山と下ねじ山の間に設けられ、前記上ストッパーにおける結合管のホールと対応するフランジとを備え、
前記ボルトの上ねじ山には、底面が前記上ストッパーの上面と対応し、該上ねじ山に螺合されるナットが設けられることを特徴とする請求項５に記載の傘フレーム、を提供する。
【００１１】
本願の請求項７の考案は、前記骨スリットは、下ロクロの外周壁から中央へ向かって凹設される挿入溝と、該挿入溝の２つの壁面に下ロクロの軸方向に沿ってそれぞれ設けられる枢設溝とからなり、該枢設溝は封止状の上端と、貫通状の下端とを有し、
前記受け骨における、下ロクロ部材と枢設される一端に、前記下ロクロにおける骨スリットの挿入溝に嵌め込まれる枢設部材が設けられ、該枢設部材の両側に夫々骨スリットの枢設溝に枢設される枢設柱が設けられる枢ことを特徴とする請求項１乃至４の何れか１項に記載の傘フレーム、を提供する。
【００１２】
本願の請求項８の考案は、前記骨スリットは、下ロクロの外周壁から中央軸へ向かって凹設される挿入溝と、該挿入溝の２つの壁面に下ロクロの軸方向に沿ってそれぞれ設けられる枢設溝とからなり、該枢設溝は封止状の上端と、貫通状の下端とを有し、
前記受け骨における、下ロクロ部材と枢設される一端に、前記下ロクロにおける骨スリットの挿入溝に嵌め込まれる枢設部材が設けられ、該枢設部材の両側に夫々骨スリットの枢設溝に枢設される枢設柱が設けられる枢ことを特徴とする請求項６に記載の傘フレーム、を提供する。
【００１３】
本願の請求項９の考案は、前記下ロクロの内周壁には２つの固定溝が相対するように形成され、該各固定溝は、下端が中央孔の下開口と連通し、軸方向に沿って設けられる縦溝と、中央孔の下開口から所定の距離をおいて設けられ、前記縦溝と連通する環状溝とからなり、
前記下スリーブは、中棒に摺動可能に取り付けられ、中央管と、該中央管を貫通する貫通孔と、該中央管より大径のリング状を呈し、該中央管の下端に同軸に設けられ、前記下ロクロの底面と接触して枢設溝の下端を封止するためのストッパーと、該中央管の外周壁の相対する位置にそれぞれ設けられ、前記下ロクロの固定溝と対応する掛止凸部とを備えることを特徴とする請求項８に記載の傘フレーム、を提供する。
【００１４】
本願の請求項１０の考案は、前記ハンドル部材は、取っ手部と、該取っ手部の内部に設けられると共に、上方へ伸長可能な伸縮棒とを有し、該伸縮棒は夫々異なるパイプ径を有する複数のパイプを備え、最も小径であるパイプが該伸縮棒の最上端に位置されると共に、その上端に前記中棒と連結するための連結ねじが設けられることを特徴とすることを特徴とする請求項１乃至４の何れか１項に記載の傘フレーム、を提供する。
【００１５】
本願の請求項１１の考案は、前記ハンドル部材は、取っ手部と、該取っ手部の内部に設けられると共に、上方へ伸長可能な伸縮棒とを有し、該伸縮棒は夫々異なるパイプ径を有する複数のパイプとを備え、最も小径であるパイプが該伸縮棒の最上端に位置されると共に、その上端に前記中棒と連結するための連結ねじが設けられることを特徴とすることを特徴とする請求項９に記載の傘フレーム、を提供する。
【００１６】
本願の請求項１２の考案は、前記取っ手部は管状を呈し、その内部上下端には上開口及び下開口を有する貫通状の貫通孔が形成され、該貫通孔の内周壁における該下開口の近傍に内ねじ山が設けられ、
又、該貫通孔の内周壁における、下開口から上開口の近傍にかけて位置決め溝が設けられると共に、該貫通孔の内周壁における該上開口の近傍に、該取っ手部を貫通する位置決め孔が設けられ、
前記伸縮棒の外周壁における下端近傍に、前記位置決め溝と対応する掛止凸部と、前記位置決め孔と対応する位置決め孔と、頭部が該位置決め孔を介して前記位置決め孔に嵌挿することができる掛止部材が設けられ、
該掛止部材は、スプリングを介して固定ブロックの孔に嵌設され、該固定ブロックは、前記伸縮棒の内部に、該掛止部材の頭部が該スプリングの弾性力により、前記位置決め孔から外部に露出するように設けられ、
更に、前記取っ手部の下端に、貫通孔の下開口を封止すると共に、伸縮棒の下開口からの脱落を防ぐための蓋部材が設けられ、該蓋部材の外周壁に外ねじ山が設けられ、該貫通孔の内周壁における下開口近傍に該外ねじ山と対応する内ねじ山が設けられ、これにより、該蓋部材を貫通孔の下開口に螺合することを特徴とすることを特徴とする請求項９に記載の傘フレーム、を提供する。
【考案の効果】
【００１７】
本考案は上記の課題を解決するものであり、各部品が互いに着脱可能に取り付けられているので、簡単に本考案の部品を分解して極めて小さく梱包することができる。また、故障した部品は、容易に新品と交換することができるので、利便性に優れている。これにより、一部の部品が故障したとしても、傘を丸ごと廃棄する必要はないので、消費者にとっては非常に経済的であり、また他方では環境保護にも寄与できる。
【考案を実施するための最良の形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１は本考案に係る傘フレームの展開状態を示す斜視図であり、図２は本考案に係る傘フレームの折畳んだ状態を示す斜視図であり、図３は本考案に係る傘フレームの分解斜視図であり、図４は本考案に係る傘フレームの下ロクロ部材の分解斜視図であり、図５は本考案に係る傘フレームの下ロクロ部材と受け骨の分解斜視図であり、図６は本考案に係る傘フレームの上ロクロ部材と親骨の分解斜視図であり、図７は本考案に係る傘フレームの上ロクロ部材の他の分解斜視図であり、図８は本考案に係る傘フレームの折畳んだ状態を示す一部側面断面図であり、図９は本考案に係る傘フレームの展開状態を示す一部側面断面図であり、図１０は本考案に係る傘フレームの親骨とカバーとの結合状態を示す一部斜視図である。
【００２０】
図１及び図２に示すように、本考案に係る傘フレーム（１）は、ハンドル部材（１０）と、該ハンドル部材（１０）の上端に設けられる中棒（２０）と、該中棒（２０）の上端に着脱可能に取り付けられる上ロクロ部材（３０）と、該中棒（２０）に摺動可能に取り付けられる下ロクロ部材（４０）と、前記上ロクロ部材（３０）と下ロクロ装置（４０）に設けられる骨組み（５０）とからなり、該骨組み（５０）が上ロクロ部材（３０）に着脱可能に枢設される複数の親骨（５１）と、該親骨（５１）を枢支し、前記下ロクロ部材（４０）に着脱可能に枢設される複数の受け骨（５２）を有し、該親骨（５１）にカバー（６０）を張設し縫着することにより傘を製造する。
【００２１】
更に図３に示すように、前記ハンドル部材（１０）は、取っ手部（１１）と、該取っ手部（１１）の内部に設けられると共に、上方へ伸長可能な伸縮棒（１２）とを有する。尚、該取っ手部（１１）は管状であってもよい。
【００２２】
前記伸縮棒（１２）は、周知の伸縮ポールとはほぼ同じ構造であり、夫々異なるパイプ径を有する複数のパイプ（符号なし）を備える。因みに、本実施例では、３つのパイプを用いており、該３つのパイプにおける小径のパイプは、大径のパイプの内部に摺動可能に設けられる。また、一番大径のパイプが、前記取っ手部（１１）と結合され、該３つのパイプが上方へ伸長する時、最も小径のパイプは最上端に位置すると共に、その上端は、前記中棒（２０）と連結される。
【００２３】
尚、前記最も小径のパイプの上端に中棒（２０）と連結するための連結ねじ（１２０）が設けられることが好ましい。
【００２４】
前記取っ手部（１１）の内部には、上下端を貫通する上開口（符号なし）及び下開口（符号なし）が形成される貫通孔（１１０）を有し、該貫通孔（１１０）の内周壁における下開口の近傍に内ねじ山（１１１）が設けられると共に、該貫通孔（１１０）の内周壁の下開口から上開口の近傍にかけて、軸方向に沿って位置決め溝（１１２）が設けられ、更に、該貫通孔（１１０）の内周壁における上開口の近傍に、該取っ手部（１１）の外周壁を貫通する位置決め孔（１１５）が設けられる。
【００２５】
前記位置決め孔（１１５）を正面とすれば、前記位置決め溝（１１２）が側面に設けられることが好ましい。
【００２６】
前記伸縮棒（１２）の外周壁における下端近傍に、前記位置決め溝（１１２）と対応する掛止凸部（１２２）と、前記位置決め孔（１１５）と対応する位置決め孔（符号なし）と、頭部が該位置決め孔を介して前記位置決め孔（１１５）に嵌挿することができる掛止部材（１２４）が設けられる。
【００２７】
該掛止部材（１２４）は、スプリング（１２５）を介して固定ブロック（１２６）の孔に嵌設され、該固定ブロック（１２６）は、前記伸縮棒（１２）の内部に、該掛止部材（１２４）の頭部が該スプリング（１２５）の弾性力により、前記位置決め孔から外部に露出するように設けられる。
【００２８】
前記伸縮棒（１２）は、その３つのパイプは、貫通孔（１１０）の上開口から上方へ伸長できるように、前記取っ手部（１１）の貫通孔（１１０）に設けられるが、前記掛止凸部（１２２）が位置決め溝（１１２）に摺動可能に嵌めこまれることにより、該伸縮棒（１２）を位置決め溝（１１２）に対して回転しないように制限している。また、該位置決め溝（１１２）は、その上端が貫通孔（１１０）の上開口近傍までしか形成されていないことから、前記伸縮棒（１２）の掛止凸部（１２２）が該伸縮棒（１２）の摺動範囲を制限しているので、該伸縮棒（１２）が上開口から脱落することはない。
【００２９】
更に、本実施例では、前記掛止部材（１２４）の頭部が位置決め孔（１１５）に嵌合されるので、摺動する伸縮棒（１２）を所定の位置に固定することができる。
【００３０】
また、前記取っ手部（１１）の下端に、貫通孔（１１０）の下開口を封止すると共に、伸縮棒（１２）の下開口からの脱落を防ぐための蓋部材（１３）を設けてもよく、その蓋部材（１３）の外周壁に外ねじ山を設け、該貫通孔（１１０）の内周壁における下開口近傍に該外ねじ山と対応する内ねじ山を設けることにより、該蓋部材（１３）を貫通孔（１１０）の下開口に螺合することが好ましく、この構成によれば、該蓋部材（１３）の底部に細長スリット（図面にない）が設けられ、コインや鍵を使うことにより該蓋部材（１３）を取っ手部（１１）から取り外すことができるので、非常に便利である。   
前記中棒（２０）は、管状を呈することが好ましく、前記伸縮棒（１２）の上端に連結ねじ（１２０）が設けられると共に、該中棒（２０）の下端に連結ねじ（１２０）と螺合する内ねじ山（２１）が設けられ、更に、該中棒（２０）の内部に、通常は中棒（２０）の外部に突出するが、中棒（２０）の内部に押圧可能な付勢力を有するハジキ（２２）が設けられ、該ハジキ（２２）は、上側まで摺動した下ロクロ部材（４０）を下側へ摺動させないように阻止するものであるが、その機能と構造は従来のものと同様であるので、その説明を省略する。
【００３１】
尚、該中棒（２０）の上端周縁に１つの位置決め凹部（２３）が設けられ、該中棒（２０）の内周壁における上端近傍に内ねじ山（２４）が設けられることが好ましい。
【００３２】
図４及び図５に示すように、前記下ロクロ部材（４０）は、中央管（４２２）及び該中央管（４２２）の内部を貫通する貫通孔（４２１）を有し、前記中棒（２０）に摺動可能に取り付けられる下スリーブ（４２）と、リング状を呈すると共に、中央孔（４１０）を有し、該中央孔（４１０）を介して前記下スリーブ（４２）の中央管（４２２）と組み合わされる下ロクロ（４１）と、を備える。
【００３３】
前記下ロクロ（４１）の内周壁には２つの固定溝（４１２）が互いに対向するように形成され、該各固定溝（４１２）は、下端が中央孔（４１０）の下開口と連通し、軸方向に沿って設けられる縦溝（符号なし）と、中央孔（４１０）の下開口から所定の距離をおいて設けられ、前記縦溝と連通する環状溝とからなる。
【００３４】
又、前記下ロクロ（４１）の外周壁には骨組み（５０）の受け骨（５２）を結合させるための複数の骨スリット（４１３）が放射状に設けられ、該各骨スリット（４１３）は、下ロクロ（４１）の外周壁から中央へ向かって形成され、相対する２つの壁面（符号なし）を有する挿入溝（４１４）と、該挿入溝（４１４）の各壁面に下ロクロ（４１）の軸方向に沿って設けられる枢設溝（４１５）とからなり、該枢設溝（４１５）は封止状の上端と、貫通状の下端とを有する。
【００３５】
又、前記下スリーブ（４２）には、該中央管（４２２）より大径のリング状を呈し、該中央管（４２２）の下端に同軸に設けられ、前記下ロクロ（４１）の底面と接触して枢設溝（４１５）の下端を封止するためのストッパー（４２３）と、該中央管（４２２）の外周壁の相対する位置にそれぞれ設けられ、前記下ロクロ（４１）の固定溝（４１２）と対応する掛止凸部（４２４）とを備え、該中央管（４２２）が下ロクロ（４１）の底面から中央孔（４１０）に嵌め込まれる時、該掛止凸部（４２４）が固定溝（４１２）の縦溝に嵌合されてから、該中央管（４２２）を回転させることにより、固定溝（４１２）の環状溝に嵌合されるので、該下ロクロ（４１）と下スリーブ（４２）とが強固に結合される。
【００３６】
図６及び図７に示すように、前記上ロクロ部材（３０）は、リング状を呈し、中央孔（３１２）を有すると共に、前記中棒（２０）の上端に着脱可能に取り付けられる上ロクロ（３１）と、中央に固定孔（３２１）が形成されると共に、リング状を呈し、該上ロクロ（３１）の上面に着脱可能に取り付けられる上ストッパー（３２）とからなり、該上ロクロ（３１）は、中央孔（３１２）の周縁から上方へ延出する結合リング（３１１）と、該結合リング（３１１）の外周壁における相対する位置に夫々設けられ、前記上ストッパー（３２）を結合させるための２つの止めブロック（３１７）と、該上ロクロ（３１）の外周に放射状に設けられ、前記骨組み（５０）の親骨（５１）を結合させるための複数の親骨スリット（３１４）とを備える。尚、本考案においては、該結合リング（３１１）の内径が中央孔（３１２）より大きく形成され、該結合リング（３１１）の内部に、中央孔（３１２）より大径であり、フランジより大径である構造体を収容できるホール（３１３）が形成されることが好ましい。
【００３７】
前記各親骨スリット（３１４）はそれぞれ、上ロクロ（３１）の外周壁から中央へ向かって形成され、その内部には、相対する壁を有する挿入溝（３１５）と、下方へ貫通しない下端と上方へ貫通する上端とを有する枢設溝（３１６）とからなる。
【００３８】
前記上ストッパー（３２）は、上ロクロ（３１）の上面と対応する大きさを有し、前記枢設溝（３１６）の上端を封止できる扁平状のリングである。又、前記上ストッパー（３２）の内周壁には、２つの固定溝（３２２）が相対するように形成され、該各固定溝（３２２）は、下端が固定孔（３２１）の下開口と連通し、軸方向に沿って設けられる縦溝（符号なし）と、固定孔（３２１）の下開口から所定の距離をおいて設けられ、前記縦溝と連通する環状溝とからなる。
【００３９】
前記上ロクロ（３１）と上ストッパー（３２）とを結合させる時は、上ロクロ（３１）の２つの止めブロック（３１７）を上ストッパー（３２）の底面から固定溝（３２２）の縦溝に嵌合した後、該上ロクロ（３１）を上ストッパー（３２）に対して回転させることにより、上ロクロ（３１）を固定溝（３２２）の環状溝に嵌合させればよい。
【００４０】
図３及び図７に示すように、前記中棒（２０）の上端の周縁に位置決め凹部（２３）が設けられている場合、前記上ロクロ（３１）の底面に、中央孔（３１２）の周縁から下方へ突出する位置決め部材（３１８）が設けられ、該位置決め部材（３１８）が位置決め凹部（２３）に嵌め込まれた時、該上ロクロ（３１）と上ストッパー（３２）とからなる上ロクロ部材（３０）が該中棒（２０）に対して回転不能となる。
【００４１】
更に、図３、図６及び図８に示すように、本実施例は、前記中棒（２０）の内周壁の上端近傍に内ねじ山（２４）が設けられ、前記上ロクロ（３１）の結合リング（３１１）内にホール（３１３）が形成されると共に、該ホール（３１３）と対応するフランジ（２５１）と、該上ロクロ（３１）の中央孔（３１２）に貫設され、前記上ロクロ部材（３０）を中棒（２０）の上端に固定するボルト（２５）とを有する。
【００４２】
前記ボルト（２５）の外周壁には、中棒（２０）の上端の内ねじ山（２４）と螺合する下ねじ山（２５３）と、上ロクロ部材（３０）の上面から上方へ突出する上ねじ山（２５２）が設けられ、更に、該上ねじ山（２５２）と下ねじ山（２５３）の間に前記フランジ（２５１）が設けられ、該フランジ（２５１）は、該上ロクロ（３１）の中央孔（３１２）より大径であるので、上ロクロ部材（３０）を中棒（２０）の上端に挟持することができる。
【００４３】
更に図９に示すように、本考案は更に前記ボルト（２５）の上ねじ山（２５２）と螺合され、底面が上ストッパー（３２）の上面と対応するナット（２６）を有し、該ナット（２６）によりカバー（６０）を上ストッパー（３２）の上面とナット（２６）の底面に固定する。
【００４４】
図１、図８及び図９に示すように、前記骨組み（５０）は、上ロクロ部材（３０）に着脱可能に枢設されると共に、放射状に配列される複数の親骨（５１）と、該親骨（５１）を枢支し、前記下ロクロ部材（４０）に着脱可能に枢設されると共に、放射状に配列される複数の受け骨（５２）とからなる。
【００４５】
該各親骨（５１）は夫々異なる径を有する複数のパイプからなる伸長可能な構造であり、特に伸長された状態においては、一端に位置される最も大径のパイプの先端が前記上ロクロ部材（３０）に枢設されると共に、他端に位置される最も小径のパイプの先端にチップ（５１０）が設けられる。また、前記カバー（６０）の周縁には複数の露先（６１）が配設され、図１０に示すように、該露先（６１）を親骨（５１）のチップ（５１０）に取り付けることにより、該カバー（６０）を親骨（５１）に固定する。
【００４６】
また、前記親骨（５１）にスリーブ状の枢設座（５１３）が設けられ、該枢設座（５１３）が親骨（５１）における最も大径のパイプに設けられ、前記受け骨（５２）は親骨（５１）を枢支するために、その一端が該枢設座（５１３）に枢着され、他端が前記下ロクロ部材（４０）に枢設される。
【００４７】
更に図６に示すように、前記各親骨（５１）には上ロクロ部材（３０）に枢設するための枢設部材（５１１）が設けられ、該枢設部材（５１１）は２つの側面を有する板体であり、その幅は前記親骨スリット（３１４）の挿入溝（３１５）と対応する。更に、前記２つの側面に夫々親骨スリット（３１４）の枢設溝（３１６）と対応する１つの枢設柱（５１２）が設けられ、該２つの枢設柱（５１２）は互いに同軸である。そして、該枢設部材（５１１）が前記親骨（５１）における最も大径のパイプの先端に取り付けられ、該親骨（５１）は枢設部材（５１１）を介して上ロクロ部材（３０）に枢設される。
【００４８】
図１、図６及び図９に示すように、前記枢設部材（５１１）の一端に前記最も大径のパイプの先端に設けられるキャップ（５１４）と、該キャップ（５１４）に設けられ、該パイプの内部に嵌合されるブロック（５１５）とを有する。
【００４９】
前記キャップ（５１４）と枢設座（５１３）とを一体に結合させる連結ロード（５１６）が、親骨（５１）を沿って該キャップ（５１４）と枢設座（５１３）との間に設けられ、前記ブロック（５１５）が親骨（５１）の一端のパイプの内部に嵌合されることにより、該枢設座（５１３）が親骨（５１）における所定の箇所に位置される。又、前記枢設部材（５１１）が親骨スリット（３１４）の挿入溝（３１５）に嵌め込まれ、該枢設柱（５１２）を親骨スリット（３１４）の枢設溝（３１６）に枢設され、更に前記枢設溝（３１６）の上端を封止できる上ストッパー（３２）が上ロクロ（３１）の上面に被覆されることにより、親骨（５１）が上ロクロ部材（３０）に強固に枢設される。
【００５０】
尚、図５に示すように、前記受け骨（５２）が下ロクロ部材（４０）に枢設される一端に、前記下ロクロ（４０）における骨スリット（４１３）の挿入溝（４１４）に嵌め込まれる枢設部材（５２１）が設けられ、該枢設部材（５２１）の両側に夫々骨スリット（４１３）の枢設溝（４１５）に枢設される枢設柱（５１２）が設けられ、該枢設柱（５１２）は互いに同軸上に設けられる。
【００５１】
そして、前記受け骨（５２）が下ロクロ（４１）に枢設された後、前記下スリーブ（４２）と下ロクロ（４１）が結合され、下スリーブ（４２）のストッパー（４２３）により、枢設溝（４１５）の下端が封止されると、受け骨（５２）が下ロクロ部材（４０）に強固に枢設される。
【産業上の利用可能性】
【００５２】
本考案は上記の構成を有するので、各部品が互いに着脱可能に取り付けられているので、使用者は簡単に本考案の部品を分解し極めて小さく梱包することができる。また、故障した部品を容易に新品と交換することができるので、大幅に利便性を向上でき、更に、従来の傘のように一部の部品が故障しても傘を丸ごと捨てることはないので、材料の節約や環境保護にも寄与することができる。
【図面の簡単な説明】
【００５３】
【図１】本考案に係る傘フレームの展開状態を示す斜視図である。
【図２】本考案に係る傘フレームの折畳んだ状態を示す斜視図である。
【図３】本考案に係る傘フレームの分解斜視図である。
【図４】本考案に係る傘フレームの下ロクロ部材の分解斜視図である。
【図５】本考案に係る傘フレームの下ロクロ部材と受け骨の分解斜視図である。
【図６】本考案に係る傘フレームの上ロクロ部材と親骨の分解斜視図である。
【図７】本考案に係る傘フレームの上ロクロ部材の他の分解斜視図である。
【図８】本考案に係る傘フレームの折畳んだ状態を示す一部側面断面図である。
【図９】本考案に係る傘フレームの展開状態を示す一部側面断面図である。
【図１０】本考案に係る傘フレームの親骨とカバーとの結合状態を示す一部斜視図である
【符号の説明】
【００５４】
（１）傘フレーム （１０）ハンドル部材
（１１）取っ手部 （１１０）貫通孔
（１１１）内ねじ山 （１１２）位置決め溝
（１１５）位置決め孔 （１２）伸縮棒
（１２０）連結ねじ （１２２）掛止凸部
（１２４）掛止部材 （１２５）該スプリング
（１２６）固定ブロック （１３）蓋部材
（２０）中棒 （２１）内ねじ山
（２２）ハジキ （２３）位置決め凹部
（２４）内ねじ山 （２５）ボルト
（２５１）フランジ （２５２）上ねじ山
（２５３）下ねじ山 （２６）ナット
（３０）上ロクロ部材 （３１）上ロクロ
（３１１）結合リング （３１２）中央孔
（３１３）ホール （３１４）親骨スリット
（３１５）挿入溝 （３１６）枢設溝
（３１７）止めブロック （３１８）位置決め部材
（３２）上ストッパー （３２１）固定孔
（３２２）固定溝 （４０）下ロクロ部材
（４１）下ロクロ （４１０）中央孔
（４１２）固定溝 （４１３）骨スリット
（４１４）挿入溝 （４１５）枢設溝
（４２）下スリーブ （４２１）貫通孔
（４２２）中央管 （４２３）ストッパー
（４２４）掛止凸部 （５０）骨組み
（５１）親骨 （５１０）チップ
（５１１）枢設部材 （５１２）枢設柱
（５１３）枢設座 （５１４）キャップ
（５１５）ブロック （５１６）連結ロード
（５２）受け骨 （５２１）枢設部材
（６０）カバー （６１）露先
【図１】
0003136071.tif 000003
【図２】
0003136071.tif 000004
【図３】
0003136071.tif 000005
【図４】
0003136071.tif 000006
【図５】
0003136071.tif 000007
【図６】
0003136071.tif 000008
【図７】
0003136071.tif 000009
【図８】
0003136071.tif 000010
【図９】
0003136071.tif 000011
【図１０】
0003136071.tif 000012